(57)【要約】【課題】ワンギリ等の着信があると利用者にとって煩わしく迷惑である。また、目覚まし時計機能の目覚まし時刻を設定した後、電源をオンのまま就寝するとワンギリ等による着信音のため睡眠を妨げられる。【解決手段】音声着信又はメール受信から設定時間、着信音の鳴動を無音状態、又はバイブレータを非動作状態とする。また、目覚まし時計機能が設定されている場合、音声着信又はメール受信から設定時間、着信音の鳴動を無音状態、又はバイブレータを非動作状態とする。これにより、ワンギリ等の不要な電話を着信に対して応答せず、利用者の迷惑や煩わしさを解消できる。【選択図】　　　　図３
2004056651.tif 000002
【特許請求の範囲】
【請求項１】
音声着信時又はメール受信時に着信音の鳴動又はバイブレータの動作によって音声着信又はメール受信を知らせる携帯情報端末装置において、前記音声着信又はメール受信から設定時間、着信音の鳴動を無音状態又はバイブレータを非動作状態とする手段を備えたことを特徴とする携帯情報端末装置。
【請求項２】
前記設定時間は、１〜３秒の時間であることを特徴とする請求項１に記載の携帯情報端末装置。
【請求項３】
目覚まし時計機能を有すると共に、音声着信時又はメール受信時に着信音の鳴動又はバイブレータの動作によって音声着信又はメール受信を知らせる携帯情報端末装置において、前記目覚まし時計機能が設定されている場合、前記音声着信又はメール受信から設定時間、着信音の鳴動を無音状態又はバイブレータを非動作状態とする手段を備えたことを特徴とする携帯情報端末装置。
【請求項４】
前記設定時間は、１〜３秒の時間であることを特徴とする請求項３に記載の携帯情報端末装置。
【請求項５】
目覚まし時計機能を有すると共に、音声着信時又はメール受信時に着信音の鳴動又はバイブレータの動作によって音声着信又はメール受信を知らせる携帯情報端末装置において、前記目覚まし時計機能と、前記音声着信又はメール受信から所定時間、着信音の鳴動を無音状態又はバイブレータを非動作状態とする機能とを１つの機能として設定する手段を含み、当該機能が設定された場合には、前記目覚まし時計の設定時刻まで前記音声着信又はメール受信から設定時間、着信音の鳴動を無音状態又はバイブレータを非動作状態とすることを特徴とする携帯情報端末装置。
【請求項６】
前記設定時間は、１〜３秒の時間であることを特徴とする請求項５に記載の携帯情報端末装置。
【発明の詳細な説明】
【０００１】
【発明の属する技術分野】
本発明は、携帯電話機やＰＨＳ等の携帯情報端末装置に関するものである。
【０００２】
【従来の技術】
近年、携帯電話機は急速に広まっており、それに伴ない携帯電話機の機能も益々多機能化しつつある。例えば、携帯電話機に目覚まし時計機能を持たせて、目覚まし時計代わりに利用する利用者も増えている。
【０００３】
【発明が解決しようとする課題】
ところで、携帯電話機等では悪戯等で１コールだけ着信音が鳴動して切断されてしまうことがある。これは、一般にワンギリと呼ばれている。このようなワンギリの着信があると、携帯電話機をポケットやカバン等から取り出す前に切断されてしまう等、利用者にとって煩わしく迷惑であった。
【０００４】
また、前述のような目覚まし時計機能を有する携帯電話機の目覚まし時刻を設定した後、電源をオンのまま就寝した場合、ワンギリ等よる着信音が鳴動すると、不要な電話やメールの受信のために睡眠を妨げられるという問題があった。
【０００５】
本発明は、上記従来の問題点に鑑みなされたもので、その目的は、ワンギリ等の着信による迷惑を防止できると共に、不要な着信やメールのために睡眠を妨害されることのない携帯情報端末装置を提供することにある。
【０００６】
【課題を解決するための手段】
本発明は、上記目的を達成するため、音声着信時又はメール受信時に着信音の鳴動又はバイブレータの動作によって音声着信又はメール受信を知らせる携帯情報端末装置において、前記音声着信又はメール受信から設定時間、着信音の鳴動を無音状態又はバイブレータを非動作状態とする手段を備えたことを特徴とする。
【０００７】
また、本発明は、目覚まし時計機能を有すると共に、音声着信時又はメール受信時に着信音の鳴動又はバイブレータの動作によって音声着信又はメール受信を知らせる携帯情報端末装置において、前記目覚まし時計機能が設定されている場合、前記音声着信又はメール受信から設定時間、着信音の鳴動を無音状態又はバイブレータを非動作状態とする手段を備えたことを特徴とする。
【０００８】
更に、本発明は、目覚まし時計機能を有すると共に、音声着信時又はメール受信時に着信音の鳴動又はバイブレータの動作によって音声着信又はメール受信を知らせる携帯情報端末装置において、前記目覚まし時計機能と、前記音声着信又はメール受信から所定時間、着信音の鳴動を無音状態又はバイブレータを非動作状態とする機能とを１つの機能として設定する手段を含み、当該機能が設定された場合には、前記目覚まし時計の設定時刻まで前記音声着信又はメール受信から設定時間、着信音の鳴動を無音状態又はバイブレータを非動作状態とすることを特徴とする。
【０００９】
【発明の実施の形態】
次に、本発明の実施の形態について図面を参照して詳細に説明する。図１は本発明の携帯情報端末装置の一実施形態を示すブロック図である。なお、本実施形態では、携帯情報端末装置として携帯電話機を例として説明する。図１において、１００は無線信号を送受信するアンテナ、１０１は無線信号の変復調処理等を行い、アンテナ１００から無線信号の送受信を行う無線送受信部である。
【００１０】
また、１０２は装置の各部を制御する主制御部、１０３は電話番号、現在の時計情報、着信履歴等を表示する表示部、１０４は電話番号の入力或いは各種機能の設定に用いるキースイッチ部である。１０５は時刻を計時する時計部、１０６は着信音や目覚まし音等を出力するスピーカ、１０７は音声入力用のマイク、１０８は通話相手の音声を出力するレシーバである。音声着信があった場合やメールを受信した場合には、スピーカ１０６からの着信音の鳴動動作によって使用者に着信やメール受信を知らせる。
【００１１】
また、１０９は履歴情報、或いはキースイッチ部１０４によって設定された各種設定情報等を記憶するメモリ、１１０は後述する開始時無音設定に用いるタイマー、１１１は振動により着信やメール受信を使用者にしらせるバイブレータである。即ち、キースイッチ部１０４によりマナーモードに設定された場合には、バイブレータ１１１が振動することによって着信やメール受信を知らせる。
【００１２】
ここで、本実施形態では、目覚まし時計機能を持っていて、キースイッチ部１０４によって目覚まし時計機能が設定されると、設定された時刻にスピーカ１０６からの目覚まし音の鳴動（又はバイブレータ１１１の振動）により目覚まし時刻を知らせ、目覚まし時計として利用することが可能である。また、詳しく後述するように音声着信或いはメール受信時に設定時間だけ着信音の鳴動或いはバイブレータ１１１による振動を非動作とする開始時無音設定機能を持っている。この機能はキースイッチ部１０４の操作により設定するもので、着信又はメール受信時からの着信音の無音時間、或いはバイブレータ１１１を非動作とする時間もキースイッチ部１０４の操作で設定する。
【００１３】
次に、本実施形態の動作を図３（ａ）、（ｂ）に示すフローチャートを参照しながら説明する。まず、図３（ａ）に示すようにステップ３０１で着信或いはメール受信があると、主制御部１０２は前述のような開始時無音設定がなされているかどうかを判断する（ステップ３０２）。この開始時無音設定は、前述のように使用者がキースイッチ部１０４を操作することによって設定し、その無音設定時間もキースイッチ部１０４を操作することによって設定し、図２に示すようにメモリ１０９に設定しておく。
【００１４】
ここで、開始時無音設定がなされていなければ（ステップ３０２がＮｏ）、主制御部１０２はスピーカ１０６を制御して着信音鳴動処理を行う（ステップ３０３）。また、マナーモードに設定されている場合には、主制御部１０２はバイブレータ１１１を制御し、バイブレータ１１１の振動によって着信或いはメール受信を知らせる。
【００１５】
一方、ステップ３０２で開始時無音設定がなされている場合には（ステップ３０２がＹｅｓ）、主制御部１０２はタイマー１１０をスタートさせて無音設定時間分のタイマー発行処理を行う（ステップ３０４）。このタイマー１１０による無音時間は前述のようなワンギリによる迷惑を防止するためには、ワンギリ時間以上とするのが良いが、設定時間が長すぎると正常な着信に応答するのが遅くなるので、１〜３秒とするのが望ましい。
【００１６】
図３（ｂ）はタイマー１１０がタイムアウトした場合のフローチャートを示す。図３（ａ）のステップ３０４で無音時間分のタイマー発行処理後、設定時間が経過してタイマー１１０がタイムアウトすると、主制御部１０２は着信状態であるかどうかを判断する（ステップ３０５）。着信状態であれば（ステップ３０５がＹｅｓ）、スピーカ１０６からの着信音鳴動処理を行う（ステップ３０６）。つまり、着信或いはメール受信から無音設定時間経過後に着信音鳴動処理を行う。また、マナーモードに設定されている場合には、無音設定時間経過後にバイブレータ１１１の振動によって着信を知らせる。一方、ステップ３０５で着信状態でなければ（ステップ３０５がＮｏ）、そのまま処理を終了する。
【００１７】
このように本実施形態では、着信音が鳴動しすぐに切断されてしまうワンギリ等のような迷惑電話等があっても、設定時間分は着信音の鳴動動作或いはバイブレータによる振動動作を非動作とするので、ワンギリ等のような不要な着信に対して応答せず、利用者の迷惑や煩わしさを解消することができる。
【００１８】
ここで、本実施形態では、前述のように目覚まし時計機能を持っており、利用者が目覚まし機能を設定することにより、設定時刻に目覚まし音の鳴動動作によって目覚まし時計として使用することが可能である。そこで、この目覚まし時計機能と前述のような開始時無音設定を組み合わせても良い。
【００１９】
即ち、目覚まし時計機能と開始時無音設定とを組み合わせて、目覚まし時計機能が設定されている場合、目覚まし時計の設定時刻まで着信或いはメール受信から設定時間分着信音の鳴動動作或いはバイブレータによる振動動作を非動作とする。従って、この場合には、ワンギリ等の不要な着信による睡眠妨害を防止できるので、目覚まし時計機能を向上することができる。
【００２０】
特に、この場合、「目覚まし時計機能設定」と前述のような「開始時無音設定」とを組み合わせて、これを、例えば、「お休みモード」として１つの機能として設定するように構成しても良い。もちろん、目覚まし時計機能に関しては所望の目覚まし時刻を設定し、開始時無音設定に関しては前述のように、例えば、１〜３秒を無音時間として設定する。
【００２１】
このお休みモードが設定された場合には、自動的に「目覚まし時計機能」と「開始時無音機能」が設定されるので、目覚まし時計機能の設定時刻まで着信或いはメール受信から設定時間分着信音の鳴動動作或いはバイブレータによる振動動作が非動作となり、ワンギリ等の不要な着信による睡眠妨害を防止することができる。
【００２２】
なお、以上の実施形態では、携帯情報端末装置として携帯電話機を例として説明したが、本発明はこれに限ることなくＰＨＳ等にも使用することができる。
【００２３】
【発明の効果】
以上説明したように本発明によれば、着信或いはメール受信から設定時間、着信音の鳴動或いはバイブレータを非動作とすることにより、１コールだけ着信音が鳴動し切断されてしまうというワンギリ等の不要な着信に対して応答せず、利用者の迷惑や煩わしさを解消することができる。
【００２４】
また、目覚まし時計機能と組み合わせることにより、目覚まし時刻まで着信或いはメール受信から設定時間分着信音の鳴動動作或いはバイブレータによる振動動作が非動作となるため、ワンギリ等のような不要な着信があっても、それに応答しないため睡眠の妨害を防止することができる。
【図面の簡単な説明】
【図１】本発明の携帯情報端末装置の一実施形態を示すブロック図である。
【図２】図１の実施形態のメモリの設定を示す図である。
【図３】図１の実施形態の動作を示すフローチャートである。
【符号の説明】
１００　アンテナ
１０１　無線送受信部
１０２　主制御部
１０３　表示部
１０４　キースイッチ部
１０５　時計部
１０６　スピーカ
１０７　マイク
１０８　レシーバ
１０９　メモリ
１１０　タイマー
１１１　バイブレータ
【図１】
2004056651.tif 000003
【図２】
2004056651.tif 000004
【図３】
2004056651.tif 000005